(57)【特許請求の範囲】
【請求項１】
被施療部がセットされる施療溝を有したマッサージ具本体と、
前記施療溝にセットされる被施療部をその両側から挟むように前記施療溝の両側部に夫々配置されエアーの給排気により膨張・収縮する第１エアーバッグと、
これら第１エアーバッグ間に位置して前記施療溝の底部に配置されエアーの給排気により膨張・収縮するとともに、前記第１エアーバッグの膨張に遅れて膨張する第２エアーバッグと、
を具備し、
前記第２エアーバッグに連通された第２エアーホースの少なくとも一部を、前記第１エアーバッグに連通された第１エアーホースよりも細い絞り管からなる流路抵抗部で形成するとともに、前記第２エアーバッグ内のエアーを前記第２エアーホースの流路抵抗部を通さずに排出させる急速排気手段を前記第２エアーホースに連通して設けたエアーマッサージ用マッサージ具。
【発明の詳細な説明】
【０００１】
【発明の属する技術分野】
本発明は、エアーバッグの膨張・収縮により使用者の例えば脚等の被施療部をマッサージするのに適するエアーマッサージ機として構成され、或いは既存のエアーマッサージ機が備えるエアー給排気手段に任意に接続して使用されエアーバッグの膨張・収縮により使用者の例えば脚等の被施療部をマッサージするのに適するエアーマッサージ用マッサージ具に関する。
【０００２】
【従来の技術】
エアー給排気手段を備えるエアーマッサージ用マッサージ具、すなわち、エアーマッサージ機は、特開平６−１９７９３４号公報に例示されるように、エアー給排気手段のポンプに接続された電磁バルブに一対のエアーホースを介して一対のエアーバッグを接続し、前記バルブに通電してポンプと一対のエアーホースとを連通させ、又、バルブへの通電を断って前記連通を断つとともに一対のエアーホースを大気中に連通させることにより、一対のエアーバッグを繰り返し膨張・収縮させるに伴い、被施療部を圧迫・弛緩してマッサージするものである。特に、前記公報のものでは、先端にマッサージ子を有するアームをエアーバッグに常に接するようにばねで付勢しており、これらのアームを前記膨張・収縮に伴い揺動させることにより、一対のマッサージ子間の間隔を狭く・広く変化させながら被施療部を圧迫・弛緩させるように構成されている。したがって、この公報に記載のものは、一対のエアーバッグ間に使用者の脚部等をセットして、この脚部等をマッサージするのに適している。
【０００３】
又、前記公報に記載のエアーマッサージ機が備える一対のエアーバッグは同時に膨張・収縮されるが、複数のエアーバッグの膨張を定められた順番に従って行なわせるものとして、椅子式やマット式のエアーマッサージ機が知られている。これらのマッサージ機においては、基本的には各エアーバッグに個別に接続されたエアーホースに同径でかつ同じ長さのものを使用している関係で、各エアーバッグにエアーを順番に給排気するのに、ロータリー弁とその駆動部及びこの弁からの給気及び排気動作を制御するためのコントローラ等を備えている。
【０００４】
【発明が解決しようとする課題】
前記公報に記載のように脚部等をマッサージするのに適する従来のマッサージ具は、脚部等の被施療部をその両側から挟むようにしてマッサージするだけであるので、例えば足裏についてはマッサージできないという問題がある。なお、足裏をマッサージできるものとしては、いわゆる青竹踏みを行なうマッサージ具が知られているが、これは使用者の体重を掛ける必要があるから、青竹状マッサージ具の上に使用者が立って足踏みしながら使用しなければならず不便である。
【０００５】
したがって、本発明が解決しようとする課題は、使用時における使用者の姿勢に制限がなく、施療溝にセットされた被施療部をその両側からだけではなく前記施療溝の底側からもマッサージできるエアーマッサージ用マッサージ具を得ることにある。
【０００６】
ところで、前記椅子式やマット式のエアーマッサージ機においては、複数のエアーバッグを定められた順番で膨張させることができる。しかし、そのためにロータリー弁とその駆動部及びこの弁からの給気及び排気動作を制御するためのコントローラ等を必要とするので、構造が複雑であり、かつ、コスト高であり、しかも、これらをマッサージ具本体に内蔵するタイプではその収容に大きなスペースが必要であって全体が大きくなる。そのため、このような技術を前記公報のものに適用する場合にも、同様な問題がある。
【０００７】
したがって、本発明の課題は、前記課題を解決するにあたり、構造が簡単で安価に実現できるとともに、小形化に適するエアーマッサージ用マッサージ具を得ることにある。
【０００８】
しかも、本発明の課題は、前記課題を解決するにあたり、第２エアーバッグにより圧迫された被施療部を素早く弛緩させて、前記施療溝の底側からのマッサージをより効果的に行なえるエアーマッサージ用マッサージ具を得ることにある。
【０００９】
【課題を解決するための手段】
前記第１の課題を解決するために、請求項１の発明は、被施療部がセットされる施療溝を有したマッサージ具本体と、前記施療溝にセットされる被施療部をその両側から挟むように前記施療溝の両側部に夫々配置されエアーの給排気により膨張・収縮する第１エアーバッグと、これら第１エアーバッグ間に位置して前記施療溝の底部に配置されエアーの給排気により膨張・収縮するとともに、前記第１エアーバッグの膨張に遅れて膨張する第２エアーバッグと、を具備し、前記第２エアーバッグに連通された第２エアーホースの少なくとも一部を、前記第１エアーバッグに連通された第１エアーホースよりも細い絞り管からなる流路抵抗部で形成するとともに、前記第２エアーバッグ内のエアーを前記第２エアーホースの流路抵抗部を通さずに排出させる急速排気手段を前記第２エアーホースに連通して設けたことを特徴としている。
【００１０】
この請求項１の発明に係るエアーマッサージ用マッサージ具において、施療溝内の第１エアーバッグはそれへのエアーの給排気により膨張・収縮するから、その膨張に伴い施療溝にセットされた使用者の被施療部を圧迫し、かつ、収縮に伴い弛緩させて、被施療部をその幅方向両側からマッサージする。又、第２エアーバッグもそれへのエアーの給排気により膨張・収縮するから、その膨張に伴い施療溝にセットされた被施療部を施療溝の底側から圧迫し、かつ、収縮に伴い弛緩させて、被施療部をその裏側から第１エアーバッグ間においてマッサージする。このように被施療部を３方向から同時期にマッサージできる。しかも、前記のように被施療部の裏側を第２エアーバッグの膨張・収縮の繰り返しによりマッサージできるので、青竹踏みのように立ってマッサージ具に体重を掛ける必要がない。
【００１１】
更に、請求項１の発明では、第１エアーバッグが被施療部をその幅方向両側から圧迫した状態、言い換えれば、これら第１エアーバッグが被施療部を保持した状態で、第２エアーバッグが膨張されて施療溝の底側から被施療部を圧迫する。そのため、前記底側からの圧迫において施療溝にセットされた被施療部が容易に逃げることを防止して、強く圧迫できる。
【００１２】
しかも、請求項１の発明では、前記第２エアーバッグに連通された第２エアーホースの少なくとも一部を、前記第１エアーバッグに連通された第１エアーホースよりも細い絞り管で形成している。
このため、第１、第２のエアーバッグを順番に膨張させるのに、従来椅子式エアーマッサージ機で実施されているようにロータリー弁とその駆動部及びこの弁からの給気及び排気動作を制御するためのコントローラ等を必要とすることなく実現できる。
【００１３】
その上、請求項１の発明は、前記第２エアーバッグ内のエアーを前記第２エアーホースの流路抵抗部を通さずに排出させる急速排気手段を前記第２エアーホースに連通して設けている。
このため、第２エアーバッグの膨張を第１エアーバッグの膨張から遅らすようにした構成により第２エアーバッグ内のエアーは抜けずらくなっているにも拘らず、急速排気手段は第２エアーバッグ内のエアーを第２エアーホースの流路抵抗部を通さずに排出するので、第２エアーバッグ内のエアーを急速に排出させて、第２エアーバッグを第１エアーバッグと同様に急激に収縮させることができる。
【００１４】
【発明の実施の形態】
以下、図１及び図２を参照して本発明の第１参考例を説明する。
【００１５】
図１は第１参考例に係るエアー給排気手段付きのマッサージ具の構成を示す断面図であって、このマッサージ具は、手足、特に、両脚用のマッサージ具として開発されたものである。
【００１６】
このマッサージ具１が備えるマッサージ具本体３は、下面が開放された上ケース部材３ａと、この部材３ａにその開放された下面を塞いで連結された下ケース部材３ｂとから形成されている。上ケース部材３ａの上面にはこの上面に開放される一対の施療溝４が互いに平行に並べて形成されている。これら施療溝４は、上ケース部材３ａの上面に近づくにしたがって次第に幅が広くなる逆台形状の凹みからなるとともに、上ケース部材３ａの前後両面にも夫々開放されている。そのため、両施療溝４にはその上方から使用者の下肢等の被施療部が出し入れできるようになっている。
【００１７】
両施療溝４の夫々にはその傾斜された溝側壁４ａを個別に覆って第１エアーバッグ５が夫々設けられている。各エアーバッグ５は同じ大きさであり、その上端部は夫々上ケース部材３ａの上面から斜めに突出されている。なお、図１には各施療溝４内の両側部に夫々配置された一対の第１エアーバッグ５が互いに独立したものを示したが、これに代えて施療溝４内の一対の第１エアーバッグ５を、施療溝４の底壁４ｂ上面に被さって配置される非膨張部を介して一体に連続させてなるものを採用してもよい。夫々の第１エアーバッグ５が有する給排気口５ａは前記溝側壁４ａを夫々貫通してマッサージ具本体３内に突出され、これらの給排気口５ａの夫々には第１の給排気経路をなす第１エアーホース６が個別に接続されている。これら第１エアーホース６はいずれも同径で、かつ、同じ長さである。
【００１８】
両施療溝４の底部下面には、前記底壁４ｂとの間に収容室７を形成するバックハウジング８が夫々ねじ止めされている。一対の収容室７の夫々には第２エアーバッグ９及び押圧子１０が収容されている。第２エアーバッグ９は収容室７の底部に配置され、このバック９上に載せられている押圧子１０は、収容室７の内側面をガイドとして上下方向に移動されるベース１０ａの上面中央部に少なくとも一つの押圧突起１０ｂを上向きに突設して形成されている。そして、押圧突起１０ｂは前記底壁４ｂの幅方向中央部を貫通して施療溝４の底部内側に突出されていて、第２エアーバッグ９の膨張・収縮に伴って上下方向に移動されるようになっている。夫々の第２エアーバッグ９が有する給排気口９ａはバックハウジング８を夫々貫通してマッサージ具本体３内に突出され、これらの給排気口９ａには第２の給排気経路をなす第２エアーホース１１が個別に接続されている。
【００１９】
図２に代表して示されるように第２エアーホース１１は、第１エアーホース６と同径のホース部１１ａと、このホース部１１ａの中間部に介装された絞り管１１ｂとからなる。絞り管１１ｂの内径はホース部１１ａの内径よりも細く、この絞り管１１ｂは、第２エアーバッグ１１を第１エアーバッグ５に対してある時間遅れをもって膨張させるための時間差膨張手段をなす流路抵抗部として用いられている。
【００２０】
前記マッサージ具本体３内には制御手段１２及びエアー給排気手段１３が収容されている。エアー給排気手段１３の動作を制御する制御手段１２は、ＣＰＵやメモリ等の各種の電気部品を組合わせてなるものであり、それにはマッサージ具本体３の外部に配置されるリモートコントロール装置１４がリード線を介して接続されている。リモートコントロール装置１４は制御手段１２に予め設定されている各種のマッサージモードを任意に選択し指定するために用いられている。
【００２１】
エアー給排気手段１３は、エアーポンプ１５と、このポンプ１５の吐出し口にエアーホース１６を介して給気側端部が接続された分配管１７と、この分配管１７の排気側端部にエアーホース１８を介して接続された排気弁１９とを備えている。エアーポンプ１５は、脈動吸収用のサージタンク等を有しており、圧縮エアーを生成しそれを分配管１７に供給するために使用され、又、電磁弁からなる排気弁１９は、その開弁動作により分配管１７内の空気を排出するために設けられている。分配管１７は、前記第１、第２の各エアーバッグ５…、９…に対応する数の給排気口１７ａを有しており、これらの夫々には前記各エアーバッグ５…、９…に連通された第１、第２の各エアーホース６…、１１…が個別に接続されている。
【００２２】
次に、前記構成のマッサージ具１を使用するには、まず、電源に接続されたマッサージ具１を使用者の下肢側に移動させて、その一対の施療溝４に使用者の両方の下肢が個別に通り抜けるように上方から収容してセットする。次に、使用者はリモートコントロール装置１４を介して必要な運転指示を与えればよい。
【００２３】
そうすると、エアー給排気手段１３は指定されたマッサージモードにしたがってエアーポンプ１５を断続運転させるとともに排気弁１９を開閉動作させるから、エアーポンプ１５が運転されるたびに、エアーホース１６を介して導かれる圧縮されたエアーが、分配管１７において分配され、各第１エアーホース６を介して第１エアーバッグ５に夫々送り込まれるとともに、各第２エアーホース１１を介して第２エアーバッグ９に夫々送り込まれる。又、エアーポンプ１５の運転が中断している期間は排気弁１９が開くので、前記第１、第２の各エアーバッグ５、９から流出されるエアーがエアーホース１８を通って排気弁１９から排出される。
【００２４】
このように各エアーバッグ５、９は、エアーが供給されるときに膨張し、エアーが排気されるときに収縮する動作を繰り返す。それにより、第１エアーバッグ５が下肢を両側から挟んで圧迫しかつその解放により下肢を弛緩させてマッサージするものであり、同様に、第２エアーバッグ９が下肢の裏側を下方から上昇する押圧子１０を介して圧迫しかつその解放により下肢の裏側を弛緩させてマッサージする。
【００２５】
このように施療溝４内の一対の第１エアーバッグ５の膨張・収縮に伴い施療溝４にセットされた使用者の下肢をその幅方向両側からマッサージできるとともに、これら第１エアーバッグ５間の第２エアーバッグ９に伴い施療溝４にセットされた下肢を、施療溝４の底側から圧迫しかつその解放により弛緩させてマッサージできる。すなわち、下肢を３方向から同時期にマッサージできる点で優れている。その上、このようなマッサージが一対の施療溝４の夫々について行われるので、使用者の両脚の下肢を同時にマッサージできる点で優れている。
【００２６】
しかも、第２エアーバッグ９の膨張・収縮に連動して押圧子１０が施療溝４にセットされた下肢の裏側に接離する方向に移動して、その押圧突起１０ｂが下肢をその裏側からマッサージするので、押圧子１０をマッサージされる個所に強く押し当てて圧迫できる。したがって、施療溝４の底側からのマッサージを強くできる点で優れている。
【００２７】
そして、前記のように下肢の裏側を第２エアーバッグ９の膨張・収縮の繰り返しによりマッサージできるので、青竹踏みのように使用者自らが立ってマッサージ具に体重を掛ける必要がない。そのため、使用者が寝た姿勢や座った姿勢で、下肢を施療溝４にセットして使用できるとともに、椅子に腰掛けて下肢の足先部を施療溝４にセットすれば、この足先部に対しても既述のような３方向からマッサージできる。このように使用姿勢が制約されることが少ないから、使い勝手を向上できる。特に、椅子に腰掛けて両脚の下肢の足先部を施療溝４にセットして使用する場合には、第２エアーバッグ９の膨張・収縮に伴い前記押圧子１０を介して足裏の各部のつぼを強く刺激して効果的にマッサージできる。
【００２８】
更に、前記第２エアーバッグ９に対する圧縮エアーの給排気において、このバック９に連通された第２エアーホース１１の絞り管１１ｂが、流路抵抗となって第２エアーホース１１を流通するエアーの流れを制限する。そのため、前記３方向からの同時期のマッサージにおいては、第１エアーバッグ５に連通されるとともに第２エアーホース１１よりも流路抵抗が少ない第１エアーホース６の方にエアーが円滑に通り易いから、第２エアーバッグ９の膨張に先立って第１エアーバッグ５が膨張する。言い換えれば、第１エアーバッグ５の膨張に遅れて第２エアーバッグ９が膨張を開始する。
【００２９】
それにより、先に膨張を始めた第１エアーバッグ５により下肢がその幅方向両側から圧迫され、これら第１エアーバッグ５で下肢が施療溝４内に保持された状態で、第２エアーバッグ９が膨張されて施療溝４の底側から下肢の裏側を圧迫するため、前記底側からの圧迫において施療溝４セットされた下肢が容易に上方へ逃げることを防止して、下肢を強く圧迫できる。したがって、下肢の裏側に対する施療溝４の底側からのマッサージをより効果的に行なえる。
【００３０】
又、前記のように時間差をもって第１、第２のエアーバッグ５、９を膨張させるのに、第２エアーホース１１にその流路抵抗を大きくする絞り管１１ｂを設けて実現したから、前記時間差を得るためにロータリー弁及びその駆動部とそのための制御回路を必要としない。
【００３１】
そのため、マッサージ具本体３に制御手段１２及びエアー給排気手段１３を内蔵しているにも拘らず、それらの収容スペースが少なくて済み、マッサージ具本体３の大きさ、ひいてはマッサージ具１全体を小形に作ることができる点で優れている。特に、エアー給排気手段１３のエアーポンプ１５及び排気弁１９と制御手段１２とをマッサージ具本体３の外部に配置する場合には、この本体３内に占める分配管１７の占有スペースがロータリー弁を収容する構成に比較して少なくて済むから、マッサージ具１全体をより小形にできる。しかも、前記のようにロータリー弁及びその駆動部とそのための制御回路を必要としないので、構造が簡単となり、かつ、低コストで得ることができる。なお、圧縮エアーを分配する分配管１７は、可動部分がなく、その構造が極めて簡単であるので、こうした部品を採用しても、コスト高となることはない。
【００３２】
なお、この第１参考例においては、第２エアーホース１１に絞り管１１ｂを設けたが、これに代えて第２エアーホース１１全体を第１エアーホース６よりも細い絞り管（ホース）で形成してもよい。このようにしても第１エアーバッグ５の膨張から遅れて第２エアーバッグ９を膨張させて、既述のような作用効果を得ることができる。
【００３３】
図３は本発明の第２参考例を示している。この参考例は基本的には前記第１参考例と同様な構成であるので、同様構成部分には前記第１参考例と同じ符号を付して、その構成及び作用の説明は省略し、以下異なる部分について説明する。第２参考例が第１参考例と異なる部分は、時間差膨張手段である。
【００３４】
すなわち、この第２参考例において時間差膨張手段は、第２エアーバッグ９に連通された第２エアーホース１１１全体で構成されている。具体的には、第２エアーホース１１１には第１エアーホース６よりも長いものが使用されている。この場合、第２エアーホース１１１の内径は第１エアーホース６の内径と同じでもよいが、細い径とすることが、前記時間差をより確実に確保できる点で優れている。なお、以上説明した点以外の構成は前記第１参考例と同じである。
【００３５】
この第２参考例での第２エアーバッグ９に対する圧縮エアーの給排気については、このエアーバッグ９に連通された第２エアーホース１１１が第１エアーホース６よりも長いため、前記３方向からの同時期のマッサージにおいて、短い第１エアーホース６を通るエアーの方が、このホース６に連通された第１エアーバッグ５に対して、長い第２エアーホース１１に連通された第２エアーバッグ９よりも速く到達するから、第２エアーバッグ９の膨張に先立って第１エアーバッグ５が膨張する。言い換えれば、第１エアーバッグ５の膨張に遅れて第２エアーバッグ９が膨張を開始する。
【００３６】
それにより、前記第１参考例と同様に前記３方向からのマッサージにおいて、施療溝４の底側からの圧迫で施療溝４セットされた下肢が容易に上方へ逃げることを防止して、下肢の裏側を押圧子１０を介して強く圧迫できる。したがって、下肢の裏側に対する施療溝４の底側からの圧迫をより効果的に行なえる。又、前記のように時間差をつけて第１、第２のエアーバッグ５、９を膨張させるのに、第１、第２のエアーホース１１の長さを違えて実現したから、前記時間差を得るためにロータリー弁及びその駆動部とそのための制御回路を必要とすることがなく、マッサージ具１全体を小形に作ることができとともに、構造が簡単となり、かつ、低コストで得ることができる。
図４及び図５は本発明の第１の実施の形態を示している。この実施の形態は基本的には前記第１参考例と同様な構成であるので、同様構成部分には前記第１参考例と同じ符号を付して、その構成及び作用の説明は省略し、以下異なる部分について説明する。第１の実施の形態が第１参考例と異なる部分は、膨張した第２エアーバッグからのエアーの排出を急速に行なわせる急速排気手段を第２エアーホースに連通させて備えた点である。
【００３７】
すなわち、この第１の実施の形態において第２の給排気経路をなす第２エアーホース２１１は、ホース部１１ａと、この先端に接続された絞り管１１ｂと、この絞り管１１ｂと第２エアーバッグ９とを連通してこれらの間に設けられた継手管２１２とから形成されている。図５に示されるように継手管２１２には排気管部２１２ａが分岐されており、この管部２１２ａには排気管２１３の一端が接続されている。これら排気管部２１２ａ及び排気管２１３の内径はいずれも絞り管１１ｂの内径よりも大きい。排気管２１３の先端には急速排気手段をなす電磁式の排気弁２１４が接続されている。通常は閉弁状態を保持する排気弁２１４は、前記制御手段１２により前記排気弁１９と同時に開閉制御されるようになっている。なお、以上説明した点以外の構成は前記第１参考例と同じである。
【００３８】
ところで、前記第１参考例の構成では、第２エアーバッグ９を第１エアーバッグ５に対して時間差をもって膨張させるため第２エアーホースに絞り管１１ｂを設けているため、膨張された第２エアーバッグ９から排出されようとするエアーが絞り管１１ｂでの流通抵抗により抜けずらく、したがって、急速にエアーが排出されて極めて短い時間で収縮する第１エアーバッグ５に比較して、第２エアーバッグ９は徐々に収縮するので、この収縮に伴う被施療部に対する刺激感が弱い傾向がある。
【００３９】
しかし、この第１の実施の形態においては、第２エアーホース２１１に急速排気弁２１４を連通し、この弁２１４をエアーポンプ１５の動作中断時に開くようにしたから、第２エアーバッグ９から押し出されるエアーを第２エアーホース２１１の流路抵抗部をなす絞り弁１１ｂ（流路抵抗部）を通すことなく急速排気弁２１４を通して外部にすみやかに排出できる。こうして第２エアーバッグ９内のエアーを急速に大気中に放出させることにより、第２エアーバッグ９を第１エアーバッグ５と同様に急激に収縮させることができる。したがって、第２エアーバッグ９の膨張により押圧子１０を介して圧迫された被施療部を素早く弛緩させて、前記施療溝４の底側からのマッサージの刺激感を高めてマッサージをより効果的に行なわせることができる。特に、この第１の実施の形態のように急速排気弁２１４を絞り管１１ｂと第２エアーバッグ９との間に接続することは、このエアーバッグ９内のエアーをより急速に抜き易い点で優れている。
図６は本発明の第２の実施の形態を示している。この実施の形態は基本的には前記第１参考例と同様な構成であるので、同様構成部分には前記第１参考例と同じ符号を付して、その構成及び作用の説明は省略し、以下異なる部分について説明する。第２の実施の形態が第１参考例と異なる部分は、膨張した第２エアーバッグからのエアーの排出を急速に行なわせる急速排気手段を第２エアーホースに連通させて備えた点である。
【００４０】
すなわち、この第２の実施の形態において第２の給排気経路をなす第２エアーホース３１１は、ホース部１１ａと、この先端に接続された第１継手管３１２と、この継手管３１２に接続された絞り管１１ｂと、この絞り管１１ｂと第２エアーバッグ９とを連通してこれらの間に設けられた第２継手管３１３とから形成されている。第１、第２の継手管３１２、３１３には夫々排気管部３１２ａ、３１３が分岐されている。そして、これらの分岐管部３１２ａ、３１３ａにわたって絞り管１１ｂを迂回するバイパス管３１４が接続されていて、この管３１５の中間部には急速排気手段としての電磁式の開閉弁３１５が設けられている。通常は閉弁状態を保持する開閉弁３１５は、前記制御手段１２により前記排気弁１９と同時に開閉制御されるようになっている。前記各管３１２〜３１４の内径は、いずれも絞り管１１ｂの内径よりも太く第１エアーホースの内径と同じである。なお、以上説明した点以外の構成は図示されない部分を含めて前記第１参考例と同じである。
【００４１】
前記のような急速排気手段を有した第２の実施の形態においても、エアーポンプ１５の動作中断時に排気弁１９とともに開閉弁３１５を開くようにしたから、第２エアーバッグ９から押し出されるエアーを第２エアーホース３１１の流路抵抗部である絞り管１１ｂを通すことなく迂回させて太いホース１１ａに戻してすみやかに排出させて、第２エアーバッグ９を第１エアーバッグ５と同様に急速に収縮させることができる。したがって、第２エアーバッグ９の膨張により押圧子１０を介して圧迫された被施療部を素早く弛緩させて、前記施療溝４の底側からのマッサージを刺激的かつより効果的に行なわせることができる。
【００４２】
なお、本発明は前記第１参考例には制約されない。例えば、前記第１参考例で示した押圧子１０を省略して、第２エアーバッグ９で直接的に被施療部をその裏側から圧迫してもよいとともに、第１エアーバッグ５は被施療部を直接圧迫することなく、その膨張・収縮に連動して揺動する押圧子（前記公報に記載のアーム及びマッサージ子参照）を介して被施療部を圧迫してもよい。又、前記第１参考例ではエアー給排気手段をマッサージ具本体に内蔵したが、本発明において、制御手段、エアー給排気手段のエアーポンプ及び必要により排気弁は、マッサージ具本体の外部にあってもよく、又、エアー給排気手段として既存の椅子式やマット式のエアーマッサージ機が備えるエアー給排気手段を利用し、それと分配管とをエアーホースを介して着脱可能に接続して使用することにより、既存のエアーマッサージ機の付属品、若しくはオプション部品として実施することもできる。
【００４３】
【発明の効果】
本発明は、以上説明したような形態で実施され、以下に記載されるような効果を奏する。
【００４４】
請求項１に記載の発明に係るマッサージ具によれば、エアーの給排気により膨張・収縮して被施療部をその幅方向両側からマッサージする第１エアーバッグに加えて、エアーの給排気により膨張・収縮して被施療部をその裏側からマッサージする第２エアーバッグを備えたから、マッサージ具本体の施療溝にセットされた被施療部をその両側からだけではなく前記施療溝の底側からも同時期にマッサージできる。しかも、このような３方向からのマッサージにおいて使用者は、青竹踏みのように立ってマッサージ具に体重を掛ける必要がないので、使用時における使用者の姿勢に制限が少なく使い勝手がよい。
【００４５】
しかも、請求項１に記載の発明によれば、第１エアーバッグの膨張に伴う前記被施療部の両側からの圧迫に対して時間遅れをもって、第２エアーバッグの膨張に伴う施療溝の底側から圧迫するため、前記底側からの圧迫において施療溝にセットされた被施療部の逃げを防止して、施療溝の底側からのマッサージをより効果的に行なえる。
【００４６】
更に、請求項１に記載の発明によれば、第１、第２のエアーバッグを順番に膨張させるのに、ロータリー弁とその駆動部及びこの弁からの給気及び排気動作を制御するためのコントローラ等を必要とすることなく実現できるから、構造が簡単で安価に実現できるとともに、小形化にも適する。
【００４７】
加えて、請求項１に記載の発明によれば、第２エアーバッグ内のエアーを急速に排出させて、第２エアーバッグを第１エアーバッグと同様に急激に収縮させるから、第２エアーバッグにより圧迫された被施療部を素早く弛緩させて、前記施療溝の底側からのマッサージをより効果的に行なえる。
【図面の簡単な説明】
【図１】  本発明の第１参考例に係るエアー給排気手段付きのマッサージ具の構成を示す断面図。
【図２】  第１参考例に係るエアー給排気手段付きのマッサージ具が有する２系統の給排気経路の構成を概念的に示す断面図。
【図３】  本発明の第２参考例に係るエアー給排気手段付きのマッサージ具の構成を示す断面図。
【図４】  本発明の第１の実施の形態に係るエアー給排気手段付きのマッサージ具の構成を示す断面図。
【図５】  第１の実施の形態に係るエアー給排気手段付きのマッサージ具が有する２系統の給排気経路の構成を概念的に示す断面図。
【図６】  本発明の第２の実施の形態に係るエアー給排気手段付きのマッサージ具が有する第２給排気経路の構成を示す断面図。
【符号の説明】
１…マッサージ具、
３…マッサージ具本体、
４…施療溝、
４ａ…施療溝の溝側壁、
４ｂ…施療溝の底壁、
５…第１エアーバッグ、
６…第１エアーホース、
９…第２エアーバッグ、
１０…押圧子、
１１…第２エアーホース、
１１ｂ…絞り管（流路抵抗部）、
１２…制御手段、
１３…エアー給排気手段、
１１１…第２エアーホース、
２１１…第２エアーホース、
２１２…継手管、
２１３…排気管、
２１４…急速排気弁（急速排気手段）、
３１１…第２エアーホース、
３１２、３１３…継手管、
３１４…バイパス管、
３１５…開閉弁（急速排気手段）。
【図１】
0003648028.tif 000002
【図２】
0003648028.tif 000003
【図３】
0003648028.tif 000004
【図４】
0003648028.tif 000005
【図５】
0003648028.tif 000006
【図６】
0003648028.tif 000007